(57)【特許請求の範囲】
【請求項１】
複数の入出力系統の伝送路を切り替えるマトリクススイッチと、
このマトリクススイッチの少なくとも一部の入力端子に接続され、対応する入力系統の伝送路の端末に接続されたコンピュータからの映像素材信号を前記マトリクススイッチで切替可能な信号に変換し、前記マトリクススイッチから出力される信号を前記コンピュータの映像素材信号に変換して対応する伝送路に出力する複数のコンピュータインタフェース部と、
前記マトリクススイッチの少なくとも一部の出力端子に接続され、該マトリクススイッチから出力される信号のうち前記コンピュータインタフェース部で変換された信号を処理して前記マトリクススイッチの対応する出力端子に送出するインタフェース信号処理部と、
前記マトリクススイッチの前記コンピュータインタフェース部を接続しない入力端子に設けられ、対応する入力系統の伝送路の端末に接続された通信機器の伝送レートの映像信号を波形等化し前記マトリクススイッチへ送出する入力部と、
前記マトリクススイッチの前記コンピュータインタフェース信号処理部を接続しない出力端子に設けられ、前記マトリクススイッチからの信号を対応する出力系統の伝送路の端末に接続された通信機器の伝送レートの映像信号に波形等化して出力する出力部とを備え、
前記複数のコンピュータインタフェース部のうち第１のコンピュータインタフェース部に接続されるコンピュータからの映像素材信号を前記第１のコンピュータインタフェース部でマトリクススイッチで切替可能な信号に変換して前記マトリクススイッチを介して前記インタフェース信号処理部に出力して処理し、この処理された信号を前記マトリクススイッチを介して前記第１のコンピュータインタフェース部とは異なる第２のコンピュータインタフェース部に出力し、当該第２のコンピュータインタフェース部にて前記コンピュータの映像素材信号に変換して、前記第２のコンピュータインタフェース部に接続されるコンピュータに送出し、
前記入力部に接続される通信機器からの映像信号を前記入力部で波形等化して前記マトリクススイッチに出力し、前記マトリクススイッチにて波形等化された信号を前記出力部に接続される通信機器に送るように切り替えることを特徴とする伝送路切替装置。
【請求項２】
前記コンピュータインタフェース部の少なくとも一部は、光信号を電気信号に及び電気信号を光信号に変換する機能を有する光信号インタフェース部であり、この光信号インタフェース部に接続される伝送路には光ケーブルを使用することを特徴とする請求項１記載の伝送路切替装置。
【発明の詳細な説明】
【０００１】
【発明の属する技術分野】
この発明は、映像信号を取り扱う通信機器とコンピュータとを交換接続する伝送路切替装置に関する。
【０００２】
【従来の技術】
近年、デジタル技術の進歩に伴い、スタンダードな現行テレビジョン信号だけでなく、ハイビジョンテレビジョン信号のデジタル化が実現されている。また、このような映像信号のデジタル化により、ＭＰＥＧ２(Moving Picture Experts Group 2)等の映像圧縮技術が盛んに開発されている。このことから、例えば放送局にあっては、局内で多種の伝送レートの映像信号を取り扱うようになってきた。
【０００３】
そこで、複数の伝送レートが混在する複数のシリアル伝送路を１ヶ所に集中し、選択的に交換接続するシリアル伝送路切替装置が使用される。図３は、このようなシリアル伝送路切替装置を示すブロック図である。
【０００４】
図３において、図中符号１０は切替装置で、マトリクススイッチ部１１と、入力部１２と、出力部１３とを備えている。マトリクススイッチ部１１は、ｎ（ｎは自然数）ライン入力、ｍ（ｍは自然数）ライン出力のスイッチング（信号切替）を行なう。入力部１２及び出力部１３は、それぞれ種々の伝送レートに対応するインタフェース機能を備えている。
【０００５】
すなわち、切替装置１０は、入力部１２で入力信号の波形劣化を復調し、マトリクススイッチ部１１でスイッチングを行なう。そして、このマトリクススイッチ部１１で選択された信号を出力部で波形劣化を復調して対応する出力伝送路に出力するようにしている。
【０００６】
ところで、近時の放送局では、コンピュータ系のシリアルインタフェースの高速化に伴い、コンピュータで取り扱う映像素材信号を処理できるものが現れている。例えばＩＥＥＥ１３９４インタフェースは、伝送速度が１．６Ｇｂｐｓ相当まで対応でき、アイソクロナス伝送により映像のリアルタイム伝送が可能となっている。このことから、放送局内でも今後、上記のような映像素材信号を処理できるコンピュータ系インタフェースの使用が強く求められることになる。
【０００７】
しかしながら、上記のようなシリアル伝送路切替装置では、入力部及び出力部で取り扱える信号が予め決められているため、コンピュータ系で処理可能な映像素材信号については、別途専用の切替装置が必要となる。このため、システムの構成が大掛かりなものとなるとともに、設備の投資負担が大きくなる。これを解決するためには、入力部、出力部のインタフェース構成の設計変更が余儀なくされ、この場合もコストが大幅に増大してしまうことになる。
【０００８】
【発明が解決しようとする課題】
以上述べたように、従来のシリアル伝送路切替装置では、取り扱える映像信号が予め決められているため、新たに出現したコンピュータの映像データについては取り扱うことができないという問題があった。
【０００９】
そこで、この発の目的は、コンピュータ専用の切替装置を用意すること無しにコンピュータの映像素材信号と既知の映像素材信号とに対応でき、これにより簡易な構成で実現可能な伝送路切替装置を提供することにある。
【００１０】
【課題を解決するための手段】
この発明に係る伝送路切替装置は、複数の入出力系統の伝送路を切り替えるマトリクススイッチと、このマトリクススイッチの少なくとも一部の入力端子に接続され、対応する入力系統の伝送路の端末に接続されたコンピュータからの映像素材信号をマトリクススイッチで切替可能な信号に変換し、マトリクススイッチから出力される信号をコンピュータの映像素材信号に変換して対応する伝送路に出力するコンピュータインタフェース部と、マトリクススイッチの少なくとも一部の出力端子に接続され、該マトリクススイッチから出力される信号のうちコンピュータインタフェース部で変換された信号を処理してマトリクススイッチの対応する出力端子に送出するインタフェース信号処理部とを備えるようにしたものである。
【００１１】
すなわちこの発明では、マトリクススイッチの一部の入力端子に、コンピュータ接続用のコンピュータインタフェース部を設け、かつこのコンピュータインタフェース部にはコンピュータからの映像素材信号をマトリクススイッチで切替可能な信号に変換し、マトリクススイッチからの出力信号をコンピュータの映像素材信号に変換する機能のみを設け、また、マトリクススイッチの一部の出力端子に、コンピュータインタフェース部で変換された信号を処理して前記マトリクススイッチの対応する出力端子に送出するインタフェース信号処理部を設け、従来の切替装置に備えられていた既存の入力部及び出力部をそれぞれマトリクススイッチの空きラインに設けるようにして、マトリクススイッチを既知の映像信号とコンピュータの映像素材信号とで共用するようにしたものである。
【００１２】
従ってこの発明によれば、従来の切替装置とは別にコンピュータの映像素材信号の切替を行なうための切替装置を用意する必要がなくなり、しかも本発明のマトリクススイッチにはその一部の入力端子にコンピュータインタフェース部が設けられ、またその一部の出力端子にインタフェース信号処理部が設けられることにより既知の映像信号とコンピュータの映像素材信号とで共用されるので、簡易な構成でしかも安価な装置を提供できる。
【００１３】
また、コンピュータインタフェース部の少なくとも一部は、光信号を電気信号に及び電気信号を光信号に変換する機能を有する光信号インタフェース部であり、この光信号インタフェース部に接続される伝送路には光ケーブルを使用することを特徴とする。
【００１４】
この構成によれば、遠く離れた場所に設置されているコンピュータとコンピュータインタフェース部との間を光ケーブルで接続することにより、距離に関係なくしかも安価にコンピュータの映像素材信号の切替を行なうことができる。
【００１５】
【発明の実施の形態】
以下、この発明の実施形態について図面を参照して詳細に説明する。
【００１６】
図１は、この発明の実施形態となる伝送路切替装置の構成を示すもので、２１はマトリクススイッチである。なお、ここでは説明を簡単にするため、マトリクススイッチ２１の入力チャンネル（系統）数を３チャンネルとし、出力チャンネル数を２チャンネルとする。
【００１７】
この実施形態では、マトリクススイッチ２１の第１入力チャンネルにコンピュータインタフェース部２２を接続し、第２入力チャンネルにコンピュータインタフェース部２３を接続し、第３入力チャンネルに入力部２４を接続している。またマトリクススイッチ２１の第１出力チャンネルにコンピュータインタフェース信号処理部２５を接続し、第２出力チャンネルに出力部２６を接続している。
【００１８】
これらコンピュータインタフェース部２２、２３及び入力部２４には、それぞれ光ケーブルとしての光伝送路３１が接続されている。また、出力部２６にも光伝送路３２が接続されている。さらに、これらコンピュータインタフェース部２２、２３に接続される光伝送路３１の端末には、パーソナル・コンピュータ（図示せず）が接続されている。
【００１９】
コンピュータインタフェース部２２、２３は、光／電変換機能を有するトランスセイバー２２１、２３１を備え、トランスセイバー（Transceiver）２２１、２３１により光伝送路３１からの光信号を電気信号に変換してマトリクススイッチ２１に出力し、またマトリクススイッチ２１から出力される電気信号を光信号に変換して対応する光伝送路３１に出力する。
【００２０】
コンピュータインタフェース信号処理部２５は、コーディング（Coding）２５１と、Ｐ１３９４．Ｂ機能２５２とを備え、マトリクススイッチ２１から出力される信号のうちコンピュータインタフェース部２２，２３で処理された信号を処理してマトリクススイッチ２１の対応する出力チャンネルに送出する。
【００２１】
入力部２４は、光伝送路３１の端末に接続されるスタジオ機器の伝送レートに対応し、光伝送路３１からの光信号を電気信号に変換し波形等化（復調）してマトリクススイッチ２１に出力する。
【００２２】
出力部２６は、マトリクススイッチ２１の出力信号を光伝送路３２の端末に設けられたスタジオ機器の伝送レートに合わせるように波形等化し、光信号に変換して光伝送路３２に出力する。
【００２３】
ところで、市販されているＩＥＥＥ１３９４インタフェースは、図２に示すように、トランスセイバー２２１，２３１と、コーディング２５１と、Ｐ１３９４．Ｂ機能２５２とにより構成されている。Ｐ１３９４．Ｂ機能２５２は、信号に対する長距離伝送処理を実行する。コーディング２５１は、ＩＥＥＥ１３９４信号の符号を２値化信号にコーデング・デコーディングする。トランスセイバー２２１，２３１は、２値化された信号を伝送する。
【００２４】
そこで、この実施形態では、コンピュータインタフェース部２２，２３にトランスセイバー２２１，２３１を設け、コンピュータインタフェース信号処理部２５にコーディング２５１と、Ｐ１３９４．Ｂ機能２５２とを設けるようにして、ＩＥＥＥ１３９４方式の映像素材信号を、従来より使用されていたマトリクススイッチ２１により切り替えることができるようにしている。
【００２５】
上記構成において、以下に放送局における局内伝送システムに適用した場合を例にして、その動作を説明する。
【００２６】
まず、マトリクススイッチ２１は、例えばＳＤＴＶ（standard Definition TV）スタジオに配置され、入力部２４に接続される光伝送路３１の端末にＳＤＴＶカメラが取り付けられる。この入力部２４では、カメラ出力信号レートに応じた波形等化を行ない、マトリクススイッチ２１に送る。このマトリクススイッチ２１では、ＳＤＴＶカメラ出力を出力部２６に接続された光伝送路３２の端末機器に送るように切り替える。
【００２７】
上記のような環境において、パーソナル・コンピュータで処理された映像素材信号も取り扱う場合に、従来は、切替装置そのものの改修が必要であったが、この実施形態の場合、マトリクススイッチ２１の空き入力チャンネルにコンピュータインタフェース部２２，２３を接続し、空き出力チャンネルにコンピュータインタフェース信号処理部２５を接続するだけでよく、マトリクススイッチ２１本体に何ら手を加える必要がない。
【００２８】
また、マトリクススイッチ２１の入出力チャンネルは、全て同一条件で並列的な存在であり、入出力信号は全て同一の伝送レートとなっているので、空きチャンネルがある限り、接続するパーソナル・コンピュータの増加に容易に対応することができる。さらに、将来、新たな伝送レートを要求するコンピュータが出現したとしても、それに対応するコンピュータインタフェース部及びコンピュータインタフェース信号処理部を製作し、交換するだけでよい。
【００２９】
以上述べたようにこの実施形態では、マトリクススイッチ２１の一部の入力チャンネルに、コンピュータ接続用のコンピュータインタフェース部２２，２３を設け、かつコンピュータインタフェース部２２，２３にはパーソナル・コンピュータからの光信号を電気信号に変換するともに、マトリクススイッチ２１で切替可能な信号に波形等化し、マトリクススイッチ２１からの出力信号をパーソナル・コンピュータの映像素材信号に波形等化して光信号に変換する機能のみを設けるようにしている。また、マトリクススイッチ２１の一部の出力チャンネルに、コンピュータインタフェース部２２，２３で変換された信号を処理してマトリクススイッチ２１の対応する出力チャンネルに送出するインタフェース信号処理部２５を設け、従来の切替装置に備えられていた既存の入力部２４及び出力部２６をそれぞれマトリクススイッチ２１の他の入出力チャンネルに設けるようにしている。つまり、マトリクススイッチ２１を既知の映像信号とコンピュータの映像素材信号とで共用できるようにしたものである。
【００３０】
従って、従来の切替装置とは別にコンピュータの映像素材信号の切替を行なうための切替装置を用意する必要がなくなり、しかもマトリクススイッチ２１にはその一部の入力チャンネルにコンピュータインタフェース部２２，２３が設けられ、またその一部の出力チャンネルにコンピュータインタフェース信号処理部２５が設けられることにより既知の映像信号とコンピュータの映像素材信号とで共用されるので、高信頼性の放送局内システムとして切替装置を比較的簡単かつ安価に構成することができる。
【００３１】
なお、上記実施形態では、全ての伝送路に光ケーブルを用いるものとして説明したが、距離が短い場合には、広帯域ケーブルを用いても構わない。
【００３２】
その他、マトリクススイッチを含む切替装置の構成、コンピュータインタフェース部の機能、コンピュータインタフェース信号処理部の機能、コンピュータの映像素材信号のフォーマット等についても、この発明の要旨を逸脱しない範囲で種々変形して実施できる。
【００３３】
【発明の効果】
以上詳述したようにこの発明によれば、コンピュータ専用の切替装置を用意すること無しにコンピュータの映像素材信号と既知の映像素材信号とに対応でき、これにより簡易な構成で実現可能な伝送路切替装置を提供することができる。
【図面の簡単な説明】
【図１】この発明の実施形態となる伝送路切替装置の構成を示すブロック図。
【図２】ＩＥＥＥ１３９４インタフェースの構成を示すブロック図。
【図３】従来の伝送路切替装置の構成を示すブロック図。
【符号の説明】
１０…切替装置、
１１、２１…マトリクススイッチ部、
１２、２４…入力部、
１３、２６…出力部、
２２、２３…コンピュータインタフェース部、
２５…コンピュータインタフェース信号処理部、
３１、３２…光伝送路、
２２１、２３１…トランスセイバー（Transceiver）、
２５１…コーディング（Coding）、
２５２…Ｐ１３９４．Ｂ機能。
【図１】
0004495877.tif 000002
【図２】
0004495877.tif 000003
【図３】
0004495877.tif 000004